(57)【要約】【課題】前輪２及び後輪３にて支持された走行車体１に、前から順番に操縦ハンドル４、座席５、原動機７及びバッグキャリア部７を設けて成るゴルフカートにおいて、ゴルフプレーヤにおける持ち物を物入れ箱に入れる場合に、雨で濡れたり、飛び出したりすることを阻止するとともに、視界を邪魔しないようにする。【解決手段】前記座席５における座席シート１１を、はね上げ自在又は着脱自在に構成する一方、この座席シート１１の下側に、上面開放型にした物入れ箱１９を、当該物入れ箱を前記座席シートにて塞ぐように設ける。【選択図】　　　　　　　　　　図２
2004041354.tif 000002
【特許請求の範囲】
【請求項１】
前輪及び後輪にて支持された走行車体に、前から順番に操縦ハンドル、座席、原動機及びバッグキャリア部を設けて成るゴルフカートにおいて、
前記座席における座席シートを、はね上げ自在又は着脱自在に構成する一方、この座席シートの下側に、上面開放型にした物入れ箱を、当該物入れ箱を前記座席シートにて塞ぐように設けたことを特徴とする乗用型ゴルフカートの構造。
【請求項２】
前記請求項１の記載において、前記物入れ箱を、前記座席シートに対する座席支持フレームに対して着脱自在に取付けたことを特徴とする乗用型ゴルフカートの構造。
【発明の詳細な説明】
【０００１】
【発明の属する技術分野】
本発明は、ゴルフ場においてプレーヤが乗って走行するいわゆる乗用型のゴルフカートの構造に関するものである。
【０００２】
【従来の技術と発明が解決しようとする課題】
従来、この種のゴルフカートにおいては、プレーヤにおける持ち物を、座席の前又は後ろに設けた網籠等の物入れ箱又は網棚に入れるようにしている。
【０００３】
しかし、この種のゴルフカートには、座席を覆う天蓋が設けられているものの、前記物入れ箱又は網棚に雨が入って、持ち物が濡れるおそれが大きいばかりか、この物入れ箱又は網棚に入れた持ち物が、走行に際しての傾きや、衝撃等にて飛び出すおそれも大きいという問題があり、これに加えて、前記物入れ箱又は網棚が、乗ったゴルフプレーヤの視野の妨げになるという問題もあった。
【０００４】
本発明は、これらの問題を解消したゴルフカートを提供することを技術的課題とするものである。
【０００５】
【課題を解決するための手段】
この技術的課題を達成するため本発明は、
「前輪及び後輪にて支持された走行車体に、前から順番に操縦ハンドル、座席、原動機及びバッグキャリア部を設けて成るゴルフカートにおいて、
前記座席における座席シートを、はね上げ自在又は着脱自在に構成する一方、この座席シートの下側に、上面開放型にした物入れ箱を、当該物入れ箱を前記座席シートに塞ぐように設けた。」
ことを特徴としている。
【０００６】
【発明の作用・効果】
このように構成することにより、座席における座席シート下側の空間を、物入れ箱を設けることに有効に利用できるものでありながら、この物入れ箱に入れた持ち物が、雨に濡れること、及び物入れ箱から飛び出すことを、座席シートにて確実に防止できるという効果を有する。
【０００７】
しかも、前記物入れ箱が、座席における座席シート下側の空間に設けられていることにより、前記座席に座るゴルフプレーヤの視野を妨げることがないのであり、また、通常、ゴルフカートに設けられている物入れ箱又は網棚を、座席シートの下側に物入れ箱を設けた分だけ、小型化できるか個数を少なくできるのである。
【０００８】
また、請求項２に記載したように、前記物入れ箱を、前記座席シートに対する座席支持フレームに対して着脱自在に取付けることにより、この物入れ箱が、座席シートの下部に設けられている各種のコントローラ等に対するメンテナンスに邪魔になることを回避できる利点がある。
【０００９】
【発明の実施の形態】
以下、本発明の実施の形態を、図１〜図７の図面について説明する。
【００１０】
この図において、符号１は、走行車体を示し、この走行車体１は、左右一対の前輪２と、左右一対の後輪３とによって支持され、その上面には、前から順番に、操縦ハンドル４、フロント座席５及びリア座席６が設けられ、前記リア座席６の下側には原動機としてのエンジン７と、このエンジン７から前記両後輪３への動力伝達機構７ａとが設けられ、走行車体１に後端には、キャディバッグを載せるためのバッグキャリア部８が設けられている。
【００１１】
また、前記走行車体１には、前記操縦ハンドル４、フロント座席５及びリア座席６等を覆う天蓋（ルーフパネル）９が設けられ、更にまた、この走行車体１の前面には、透明合成樹脂板製のフロントウインドウ１０が設けられている。
【００１２】
前記フロント座席５は、座席シート１１と、背もたれシート１２と、座席支持フレーム１３とから成り、前記背もたれシート１２は、前記座席支持フレーム１３の後面より立設する一対の支柱１４と、前記座席支持フレーム１３の左右両側より座席に座る人に対するサイドガードを兼ねるように立設する一対の支柱１５とによって支持されている。
【００１３】
そして、前記フロント座席５における座席シート１１を、その座席支持フレーム１３の上面に、当該座席シート１１における後面が前記両支柱１４の前面に、当該座席シート１１における左右両側面が前記サイドガードを兼ね両支柱１５の内側面に各々接当するようにして載置する一方、前記座席シート１１の前側を、前記座席支持フレーム１３に対して、例えば、後述するように構成した係合自在な左右一対の連結金具１６を介して連結することにより、前記座席シート１１を、その座席支持フレーム１３に対して、当該座席シート１１における後方への移動を前記両支柱１４にて阻止し、当該座席シート１１における左右方向への移動を前記サイドガードを兼ね両支柱１５にて阻止した状態で、はね上げ自在又は着脱自在に取付けるように構成している。
【００１４】
前記連結金具１６は、図５〜図７に示すように、前記座席支持フレーム１３の上面にボルト等にて取付けた係合板１７と、前記座席シート１１の下面にボルト等にて取付けた係止板１８とから成り、前記係止板１８に一体的に設けた下向き片１８ａを、前記係合板１７に穿設した貫通孔１７ａ内を通して下向きに突出したのち、前記係合板１７に一体的に設けた下向き片１７ｂの内面に接当することにより、前記座席シート１１における前方向への移動を阻止する一方、前記係合板１７における貫通孔１７ａ内に突出した突起片１７ｃを、前記係止板１８における下向き片１８ａに穿設した貫通孔１８ｂ内に嵌め込むことにより、前記座席シート１１における座席支持フレーム１３からの或る値以上の浮き上がりを阻止するように構成している。
【００１５】
次に、前記フロント座席５における座席支持フレーム１３に、座席シート１１の下面に沿って左右横方向に互いに略平行に延びる前後一対の横バー１３ａ，１３ｂを、この両横バー１３ａ，１３ｂ内における空間２０内に、上面を開放した形態の物入れ箱１９を、当該物入り箱１９の上端から外向きに突出したフランジ部１９ａ，１９ｂを前記両横バー１３ａ，１３ｂの上面に載せるようにして、着脱自在に装着して、この物入り箱１９を、前記座席シート１１により塞ぐように構成する。
【００１６】
なお、前記フロント座席５における座席支持フレーム１３の後側板１３ｃは、リア座席６における足元を広くするように前向きに傾斜しており、この後側板１３ｃのうち前記空間２０の部分に、ゴルフカートに対するコントローラ２１と、拡張入出ユニット２２が設けられている。
【００１７】
また、前記空間２０内のうち前進方向に対して右側の部分には、ブレーキ解除スイッチ２３、チェッカー２４、調整カプラ２５及びヒューズ等のように、メンテナンスが必要な各種の部品が集中して設けられている。
【００１８】
この構成において、フロント座席５における座席支持フレーム１３に着脱自在に装着した物入れ箱１９は、フロント座席５における座席シート１１にて塞がれているが、前記フロント座席５における座席シート１１を、図に二点鎖線で示すように、その前側における連結金具１６を中心にしてはね上げるか、或いは、このはね上げた状態から前記連結金具１６による連結を解除して取り外すことにより、前記物入れ箱１９が開放されるから、物の出し入れができる。
【００１９】
また、前記物入れ箱１９を取り外すことによって、前記コントローラ２１及び拡張入出ユニット２２等に対するメンテナンスが容易にできる。
【００２０】
なお、前記実施の形態は、フロント座席５とリア座席６とを備えた四人乗りのゴルフカートにおいて、前記フロント座席５に対して適用した場合であったが、本発明は、これに限らず、前記フロント座席５に代えて前記リア座席６に適用したり、フロント座席５とリア座席６との両方に適用したりすることができるほか、リア座席を備えていないいわゆる二人乗りのゴルフカートに対しても適用できることはいうまでもない。
【図面の簡単な説明】
【図１】本発明の実施の形態によるゴルフカートの斜視図である。
【図２】本発明の実施の形態によるゴルフカートの側面図である。
【図３】図２におけるフロント座席の部分における一部切欠拡大図である。
【図４】図３のＩＶ−ＩＶ視平面図である。
【図５】図４のＶ−Ｖ視拡大断面図である。
【図６】図５のＶＩ−ＶＩ視平断面図である。
【図７】図５のＶＩＩ　−ＶＩＩ　視断面図である。
【符号の説明】
１　　　　　　　　　　走行車体
４　　　　　　　　　　操縦ハンドル
５　　　　　　　　　　フロント座席
７　　　　　　　　　　エンジン
８　　　　　　　　　　バッグキャリア部
１１　　　　　　　　　座席シート
１２　　　　　　　　　背もたれシート
１３　　　　　　　　　座席支持フレーム
１６　　　　　　　　　連結金具
１９　　　　　　　　　物入れ箱
２０　　　　　　　　　空間
【図１】
2004041354.tif 000003
【図２】
2004041354.tif 000004
【図３】
2004041354.tif 000005
【図４】
2004041354.tif 000006
【図５】
2004041354.tif 000007
【図６】
2004041354.tif 000008
【図７】
2004041354.tif 000009